(57)【要約】【課題】端子台及び配管接続弁を覆う電源カバーを小型化することができ、また、電装品箱内に粉塵等が侵入して制御基板がショートするおそれのない空気調和機の室外機を提供する。【解決手段】上部に電装品箱が配設され、側面パネル７の外面の下部に室内機と室外機との間を循環する冷媒の配管１９が接続される配管接続弁９が設けられた空気調和機の室外機であって、室外機の電装品箱と室内機とを接続する電源コード１８が接続される端子台１７を、配管接続弁９に近接して側面パネル７の外面の上下方向の中央部より下方に取付けた。【選択図】図１
2012154565.tif 000002
【特許請求の範囲】
【請求項１】
上部に電装品箱が配設され、側面パネルの外面の下部に室内機と室外機との間を循環する冷媒の配管が接続される配管接続弁が設けられた空気調和機の室外機であって、
前記室外機の電装品箱と前記室内機とを接続する電源コードが接続される端子台を、前記配管接続弁に近接して該側面パネルの外面の上下方向の中央部より下方に取付けたことを特徴とする空気調和機の室外機。
【請求項２】
前記端子台を、該端子台に接続された前記電源コードが前記側面パネルに沿って下方に向って傾斜するように前記側面パネルに傾けて取付けたことを特徴とする請求項１記載の空気調和機の室外機。
【請求項３】
前記端子台を金属製の端子台カバーで覆い、該端子台カバー及び前記配管接続弁を電源カバーで覆ったことを特徴とする請求項１又は２記載の空気調和機の室外機。
【請求項４】
前記端子台カバーを、前記端子台を覆う本体部と、該端子台に接続された電源コードを押える押え部とによって構成したことを特徴とする請求項３記載の空気調和機の室外機。
【請求項５】
前記電源カバーを、前記端子台カバー及び配管接続弁を覆う本体部と、前記端子台に接続された電源コード及び前記配管接続弁に接続された配管を取出す開口部とによって構成したことを特徴とする請求項３記載の空気調和機の室外機。
【発明の詳細な説明】
【技術分野】
【０００１】
本発明は、空気調和機の室外機に関するものである。
【背景技術】
【０００２】
従来の空気調和機の室外ユニットに、本体内の上部に室外ユニットの制御基板を有する電装部品箱を配置し、その近傍において側面パネルに開口部を設け、取付板に取付けた接続ターミナルを開口部から本体内に挿入して取付板を側面パネルに固定し、この開口部、接続ターミナルに接続された電線、及び側面パネルの下部外面に設けた接続弁を、外部の粉塵等から保護するために電源カバーで覆い、接続ターミナルに接続された電線と接続弁に接続された配管とを、電源カバーの開口部から一緒に引出すようにしたものがある（例えば、特許文献１参照）。
【先行技術文献】
【特許文献】
【０００３】
【特許文献１】特開平５−１３３５７１号公報（第２頁、図１，図２）
【発明の概要】
【発明が解決しようとする課題】
【０００４】
特許文献１の室外ユニットにおいては、側面パネルに直接接続ユニットを取付けると、ねじ止めする際に電装部品箱内の電気部品やリード線を傷付けるおそれがあるため、電装部品箱の近傍において側面パネルに開口部を設け、この開口部から取付板に取付けた接続ユニットを挿入して取付板を側面パネルに固定している。そのため、構造が複雑であるばかりでなく、開口部から電装部品箱内に粉塵等が侵入して電装部品箱内の制御基板がショートするおそれがあった。
【０００５】
また、電源カバーは、側面パネルの上部に設けた開口部、接続ターミナルに接続された電線、及び側面パネルの下部に設けた接続弁を覆うため大型になり、コストが増嵩するばかりでなく意匠性を損い、その上取付が面倒で作業性が悪いなどの問題があった。
【０００６】
本発明は、上記の課題を解決するためになされたもので、端子台及び配管接続弁を覆う電源カバーを小型化することができ、また、電装品箱内に粉塵等が侵入して制御基板がショートするおそれのない空気調和機の室外機を提供することを目的としたものである。
【課題を解決するための手段】
【０００７】
本発明に係る空気調和機の室外機は、上部に電装品箱が配設され、側面パネルの外面の下部に室内機と室外機との間を循環する冷媒の配管が接続される配管接続弁が設けられた空気調和機の室外機であって、前記室外機の電装品箱と前記室内機とを接続する電源コードが接続される端子台を、前記配管接続弁に近接して該側面パネルの外面の上下方向の中央部より下方に取付けたものである。
【発明の効果】
【０００８】
本発明によれば、端子台及び配管接続弁を覆う電源カバーを小型化することができ、また、端子台を電装品箱から離れた位置に取付けたので、電装品箱に粉塵等が侵入して制御基板がショートするおそれもない安全な空気調和機の室外機を得ることができる。
【図面の簡単な説明】
【０００９】
【図１】本発明の一実施の形態に係る空気調和機の室外機の一部を分解した状態を示す斜視図である。
【図２】図１の側面図である。
【図３】図１の要部の正面図である。
【図４】図３の前面パネル、電源カバー、端子台カバーを取外した状態を示す正面図である。
【図５】図４のＡ−Ａ断面図である。
【図６】図４の電装品箱の斜視図である。
【図７】図６の分解図である。
【図８】図１の端子台カバーの斜視図である。
【図９】図８の側面図である。
【図１０】図８の平面図である。
【図１１】図１の電源カバーの斜視図である。
【図１２】図１１の平面図である。
【図１３】図１１の側面図である。
【発明を実施するための形態】
【００１０】
図１は本発明の一実施の形態に係る空気調和機の室外機の一部を分解した状態を示す外観斜視図、図２は図１の側面図、図３は図１の要部の正面図、図４は図３の前面パネル、電源カバー及び端子台カバーを取外した状態を示す正面図、図５は図４のＡ−Ａ断面図である。
【００１１】
図１〜図５において、１は空気調和機の室外機本体、２はその底板で、室外機本体１は底板２上に立設された仕切板３（図４，図５）により、機関室４と送風室５とに区画されている。なお、６は機関室４の前面パネル、７は同じく側面パネルである。
機関室４の底板２上には圧縮機８が搭載されており、圧縮機８の側方の側面パネル７の外面には、室外機と室内機（図示せず）との間を循環する冷媒の配管１９を接続するための配管接続弁９が設けられている。
【００１２】
圧縮機８の上方（室外機本体１の上部）には、室外機を制御する制御基板等を有する電装品箱１０が配設されており、この電装品箱１０は、図６，図７に示すように、制御基板１１、制御基板サポート１２、制御基板サポートカバー１３、ヒートシンク１４、ヒートシンクサポート１５、ヒートシンクホルダ１６等からなっている。
【００１３】
また、室外機（電装品箱１０）と室内機とを電源コード１８で接続するための端子台１７が室外機本体１の側面パネル７の外面の高さ方向の中央部により下方において、配管接続弁９の近傍に取付けられて端子台カバー２０で覆れており、さらに、配管接続弁９と端子台カバー２０とは電源カバー２５で覆れている。
【００１４】
端子台カバー２０は金属材料からなり、図８〜図１０に示すように、端子台１７を覆う箱状の本体部２１と、ほぼ逆凹状に形成されて本体部２１の一方の側壁に設けられ、端子台１７に接続された電源コード１８を室外機本体１の側面パネル７に押える押え部２２とからなり電源コード１８に外力が加えられても端子台１７から離脱するのを防止するようになっている。
【００１５】
この端子台カバー２０は金属材料からなっているので、万一端子台１７が発火した場合でも、端子台１７はこの端子台カバー２０で完全に覆れているため、後述の樹脂製の電源カバー２５への延焼を防止することができる。
また、端子台カバー２０により端子台１７を覆うことにより、端子台１７に雨水などが吹き込むのを防止することができるばかりでなく、近接する配管接続弁９に配管１９を取付ける際に作業油などが飛散しても、これが端子台１７にかかるのを防止することができる。
【００１６】
電源カバー２５は、図１１〜図１３に示すように樹脂成形品からなり、配管接続弁９と端子台カバー２０を覆う大きさで平面長方形状の本体部２６と、一方の側壁に設けられ、配管接続弁９に接続された配管１９及び端子台１７に接続された電源コード１８を取出すための開口部２７とからなっている。
【００１７】
前述のように端子台１７を配管接続弁９の近傍に取付けることにより、これら端子台１７（端子台カバー２０）及び配管接続弁９を覆う電源カバー２５を小型化することができ、これにより、外観がすっきりして意匠性を向上できるばかりでなく、材料コストを低減することができ、さらに、取付作業が容易になるため作業性を向上することができる。
【００１８】
上記のように構成した空気調和機の室外機においては、機関室４の底板２上に搭載した圧縮機８の側方において、側面パネル７の外面の下方に、室内機と室外機とを配管１９により接続する配管接続弁９を設けると共に、この配管接続弁９に近接して端子台１７をねじにより取付ける。そして、一端が電装品箱１０に接続されて機関室４内に配線されたリード線１０ａの他端を、側面パネル７の下方（端子台１７に対応する位置）に設けた開口部（図示せず）から端子台１７に接続し、一端が室内機に接続された電源コード１８の他端を端子台１７に接続する。
【００１９】
ついで、端子台カバー２０の本体部２１で端子台１７を覆うと共に、端子台１７に接続された電源コード１８を引き出して押え部２２で押え、端子台カバー２０を側面パネル７に取付ける。
また、配管接続弁９に配管１９を接続し、電源カバー２５の本体部２６で配管接続弁９及び端子台カバー２０を覆うと共に、電源コード１８及び配管１９を開口部２７から引き出し、電源カバー２５を側面パネル７に固定する。
【００２０】
上記のように構成した本発明によれば、端子台１７を電装品箱１０から離れた側面パネル７の下方において配管接続弁９に近接して取付けるようにしたので、端子台１７を側面パネル７に直接ねじ止めすることができる。このため、取付が容易で取付作業性を向上することができる。
また、側面パネル７の電装品箱１０の近傍には開口部がないため、電装品箱１０内に粉塵等が侵入することがなく、このため、制御基板がショートするおそれがないので安全である。
【００２１】
さらに、端子台１７を、側面パネル７の外面に下方に設けた配管接続弁９に近接して取付けることにより、側面パネル７に設ける開口部を少なくすることができ、これにより、圧縮機８などから発生する騒音が外部に漏れるのを抑制することができるので、遮音効果を高めることができる。
【００２２】
なお、図２に示すように、端子台１７を側面パネル７の外面に傾斜して取付ければ、これに接続された電源コード１８が側面パネル７に沿って下方に向って斜めに取付けられるので、電源コード１８に雨水などが付着しても重力により下方に移動し、上方に位置する端子台１７に雨水などが浸入することがない。
【符号の説明】
【００２３】
１  室外機本体、２  底板、３  仕切板、４  機関室、５  送風室、６  前面パネル、７  側面パネル、８  圧縮機、９  配管接続弁、１０  電装品箱、１１  制御基板、１７  端子台、１８  電源コード、１９  配管、２０  端子台カバー、２１  本体部、２２  押え部、２５  電源カバー、２６  本体部、２７  開口部。
【図１】
2012154565.tif 000003
【図２】
2012154565.tif 000004
【図３】
2012154565.tif 000005
【図４】
2012154565.tif 000006
【図５】
2012154565.tif 000007
【図６】
2012154565.tif 000008
【図７】
2012154565.tif 000009
【図８】
2012154565.tif 000010
【図９】
2012154565.tif 000011
【図１０】
2012154565.tif 000012
【図１１】
2012154565.tif 000013
【図１２】
2012154565.tif 000014
【図１３】
2012154565.tif 000015